(57)【要約】      （修正有）【課題】弾性作用部材と係止具とを挿着または嵌着により枢軸連結することにより、係止具が軸動可能となり、扁平先端縁などの様々な爪縁の形状に係止可能であり、症状に適する弾性応力の強度および爪形状に設計された夫々弾性作用部材を適時変更が容易で多目的に用いることができる多用途爪整形具を提供する。【解決手段】多用途爪整形具５０Ａは、変形爪４０または変形を防止したい爪の先端縁に装着して変形爪を整形または予防するものであって、爪幅間を架設できる長手長で、且つ両側端部分が垂直状に成す枢軸部位を備え、また、係止具１２の上側脚部１４先端部には枢軸部位を挿着できる枢軸受保持部を備えて成している。これにより、枢軸部位と枢軸受保持部とが枢軸連結されたことで、枢軸受保持部が枢軸動可能となり、係止具の該開口部方向が常に爪先端縁形状の係止に最適な向きへ旋回自在に装着きる。【選択図】図１
2018011911.tif 000002
【特許請求の範囲】
【請求項１】
弾性能および形状記憶能を有する、金属または樹脂またはエラストマーから成る平板状または線状の材を用いて、爪幅間を架設できる長手方向長さと爪伸長方向幅未満の短手方向幅長で形成され、且つ長手方向の両側端部分が垂直に形成されたことで、略Ｕ字状に模られた弾性作用部材において、
該両側端部の垂直状部位には、弾性変形可能な連結保持部を先端部近傍に備えて成す、枢軸部位が形成されており、
一方、金属または樹脂またはエラストマーから成る弾性能を有する材を用い、上側脚部と、下側脚部と、該上下夫々脚部後端縁を連結する耐撓曲能または撓曲弾性能を有する連結部と、該上下夫々脚部先端の対向面で形成され少なくとも爪を挿着可能な開口部と、によりフック状またはクリップ状に形成された係止具において、該弾性作用部材に設けられた該連結保持部を拡張挿入できる該係止具爪幅方向に長手の略角丸長方形状または略円形状で且つ該連結保持部より小径の拡張挿入孔が該連結保持部に対向するよう１つ以上穿設されて成す該枢軸受保持部が該上側脚部の先端近傍に内設または突設して形成されており、よって前述該弾性作用部材の両側端部に設けられた夫々該枢軸部位を、爪縁部両側端へ配設される該係止具に備わる該枢軸受保持部へ、挿着または嵌着による枢軸連結が成されたことで、該枢軸受保持部が該枢軸部位の円周方向へ枢軸動作が可能となり、該係止具開口部方向が自在に旋回可変できることを特徴とする、多用途爪整形具。
【請求項２】
前記枢軸連結を構成する部位において、
前記連結保持部の形状が、上面および底面を略平面とした略円柱形であって、該円柱側面の外周同一円周上の位置へ係止爪部を凸設し、
また、前記拡張挿入孔の内周面同一円周上の位置へ該係止爪部と嵌合可能に係合溝部位を凹設した
ことを特徴とする請求項１に記載の多用途爪整形具。
【請求項３】
前記枢軸連結を構成する前記枢軸受保持部において、
前記上側脚部の先端部天面から底面の高さで且つ拡張挿入孔に達する奥行きで弾性開閉を有する裂開状で成す開口を設けた案内拡開部を備え、また略円弧状に前記枢軸部位を嵌合可能とした該拡張挿入孔を備えたことにより、該案内拡開部より該拡張挿入孔へ該枢軸部位の拡開挿入または拡開離脱を自在可能に前記係止具と連結できること、を特徴とする請求項１または２に記載の多用途爪整形具。
【請求項４】
前記枢軸連結を構成する部位において、
略平状に形成された前記弾性作用部材の両側端部近傍に該弾性作用部材長手方向に長方の略角丸長方形状または略円形状で成る前記拡張挿入孔を１つ以上備える前記枢軸受保持部が夫々に配設され、
また、前記係止具の上側脚部先端側には突き出し状の前記連結保持部を備えた枢軸部位を垂直に上方または下方へ形成したことを特徴とする請求項１、２または３に記載の多用途爪整形具。
【請求項５】
前記弾性作用部材において、
内方または外方へ湾曲変形した爪を略平状へ矯正できる弾性復元力を有していることを特徴とする請求項１、２、３または４に記載の多用途爪整形具。
【請求項６】
前記弾性作用部材において、
爪変形または爪割裂を発症させる外圧から、爪形を保護できる耐撓曲能弾性が強化されていることを特徴とする請求項１、２、３または４に記載の多用途爪整形具。
【発明の詳細な説明】
【技術分野】
【０００１】本発明は、内方および外方へ湾曲変形する歪形爪の整形治療および外圧による変形爪の予防および美爪形造りに用いられる多用途爪整形具に関するものである。
【背景技術】
【０００２】従来の発明においては、弾性材を用い、湾曲状変形した爪を矯正できる略矩形状の弾性能板部とこの弾性能板部を爪先端縁へ保持するための係止部とが一体成形で成されたものが提案されている。しかしながら使用にあたっては、前述の係止部が略矩形状の弾性能板部の直線状部に設置された形態上、装着される爪先端縁の平面形状が直線状に形成されるまで該爪先端縁が伸びるのを待つ必要があり、その間治療ができないという問題点がある。【０００３】例えば、弾性を有する材料によって板状に形成された略矩形板状体と、該板状体に間隔を隔てて設けられ爪の先端縁に差し込まれ前記爪を挟持する少なくとも２以上の挟持部が前記板状体の両端側に一体成形で設けられ、且つ該挟持部には前記板状体を爪に接着固定するための接着剤塗布用孔とを備えたことを特徴とする陥入爪矯正具が提案されている。（特許文献１参照）【０００４】また、爪甲の表面上に装着される板状の超弾性合金製矯正具本体部に、該矯正具本体部の側部に成る複数の爪保持部が一体で成形され、該爪保持部により陥入爪の爪先端を保持可能であることを特徴とする陥入爪矯正具が提案されている。（特許文献２参照）
【先行技術文献】
【特許文献】
【０００５】
【特許文献１】特開２００７−１８５２０３号公報
【特許文献２】特開２０１２−９５８００号公報
【発明の開示】
【発明が解決しようとする課題】
【０００６】爪先端縁の爪幅（以下、爪先端縁幅という）方向の円弧状は、正面方向から見て爪縁両側部より爪甲略中央が高くなるほど甲高で円弧状が強まり、また、平面方向から見て爪先端略中央部から爪縁両側部への円弧状は爪幅が狭くなるほど強まること、また、円弧の形状には個体差はあるが、いずれにしても爪先端縁は上下、前後に湾曲形状を成している。
この爪先端縁の湾曲形状は弾性応力を用いた爪矯正具で治療する際、弾性応力を用いた矯正作用を安定的に変形爪へ提供する爪保持部の影響は大きく、例えば、弾性応力のベクトル方向が矯正目的からずれた方向へ引っ張られたり、爪保持部が脱落する方向へ引っ張られたりして、矯正具の爪保持部の係止能が不安定となり、施術者が治療効果を想定し設計した矯正能が発揮できない危険性を有する。
なお爪の湾曲状変形を形成する原因は、爪先端遊離縁の遊離部状態に深く関係があり、例えば物理的および化学的外因、栄養状態および機能異常などの内因、傷病歴、個体差などに影響されることを、本発明者の研究および施術経験から夫々の要因を見出している。【０００７】前記文献１および文献２に記載の爪矯正具において、爪先端縁に装着する該爪矯正具の形態上、爪先端縁形状が直線状に成形できるまで爪が伸びる期間が必要であり、その間は治療ができず、患者は痛みに耐え待つことが要求されるという問題がある。なお、両側爪縁部は爪先端縁中央部より湾曲状を成すため下方にあり、爪先端縁が直線状を成すまで伸長するには相当な日数が必要である。そのため、矯正治療が即日行えない場合があるという問題もある。【０００８】本発明の目的は、前記文献の矯正具の課題を解決するため、弾性作用部と爪保持部とを別部材で形成するとともに連結部を枢動可能にすることで、平面方向爪先端縁形状が例えばスクエア状、スクエアオフ状、ラウンド状、ポイント状およびオーバル状などにおいても、爪保持部の平面方向係止角度を旋動可能にすることで、前記の様々な爪先端形状に対応ができ、また、連結部を着脱自在にすることで、個々の爪の変形様態や爪幅寸法から鑑みられた弾性応力の強さや爪質に適合するよう設計された該弾性作用部材へ適宜選択し変更可能となり、これにより多様な爪様態の整形に対応できる多用途爪整形具の提供にある。
【課題を解決するための手段】
【０００９】以上の課題を解決するための請求項１の発明は、弾性作用部材と爪保持部（以下、係止具という）で構成され、該弾性作用部材と該係止具とは枢軸連結されて成している。
形状記憶能を有する材または弾性能を有する材、例えばＮｉ−Ｔｉ合金やステンレス鋼や炭素鋼や合金鋼や銅合金やチタンやチタン合金やコバルト合金等の金属材、またはポリアミド系樹脂やポリエステル系樹脂やポリアセタール系樹脂やスチレン系樹脂やオレフィン樹脂やウレタン樹脂やアクリル樹脂や塩化ビニル樹脂やポリプロピレン樹脂（以下、ＰＰという）やＡＢＳ樹脂やエラストマーや合成ゴムやスチレン共重合体やＦＲＰやアイオノマーやＰＥＴ等の樹脂材、などから選択されて成る平板状または線状の材を用いて、爪幅間を架設できる長手方向長さと爪伸長方向長さ未満の短手方向幅長で形成され、且つ長手方向両側端部分が垂直状に形成されたことで、略Ｕ字状に模られた弾性作用部材において、該両側端部に形成する垂直状部立位に設けられた枢軸部位の先端部近傍には、弾性変形可能なフック状の返し、または拡縮変形可能なキャンチレバー状を形成してスナップフィット機能を成す、または該キャンチレバー部の縦軸方向に弾性開閉可能な割れを一箇所以上設けてスナップフィット機能を成す、または弾性的に拡縮変形可能なプレスフィット機能を設けて成す、または底面に掛止用の係止面を形成する上方に膨出した略半円球形または略球状または略珠算珠状の膨大部位を先端部に備えた該膨大部位と同心状に小径として成す、等いずれかで成している連結保持部が形成されている。【００１０】一方、例えばＮｉ−Ｔｉ合金やステンレス鋼や炭素鋼等の金属やまたはスチレン系樹脂やポリエステル樹脂やポリアミド系樹脂やポリアセタール系樹脂やオレフィン樹脂やウレタン樹脂やアクリル樹脂や塩化ビニル樹脂やＰＰやＡＢＳ樹脂等の樹脂やエラストマーなどから成る弾性能を有する材から適宜選択されて用いられ、上側脚部と下側脚部の夫々脚部後端縁を連結する耐撓曲能が強化されたまたは撓曲弾性能を強化された連結部と、上下脚部先端縁の対向面で成る爪縁部を挿着可能な開口部、等で成る係止具であって、該係止具が備える該開口部へ爪縁を挿入することで、掛着可能なフック能、または、該開口部が弾性能連結部の撓曲変形により弾性拡開されたことで該上側脚部と該下側脚部の内壁とで該爪縁の挟持が強化されたクリップ能、等が得られる係止具において、該係止具爪幅方向に長手の略角丸長方形状または略円形状で且つ該連結保持部より小径で且つ該連結保持部を枢軸動作が可能で挿着できる拡張挿入孔が１つ以上該連結保持部に対向するよう穿設されて設けられている枢軸受保持部が、該係止具の該上側脚部の先端近傍で且つ爪幅方向略中央に内設または突設して形成されている。なお、該拡張挿入孔の孔拡張を助長するため内壁の板厚方向に弾性拡開スリットを１つ以上配設されてもよい。【００１１】このように、該弾性作用部材の両側端部夫々に設けられた該枢軸部位を、該係止具に備わる該枢軸受保持部へ、スナップフィットまたはプレスフィットまたは嵌合など枢着または軸着による接合手段を用いて枢軸連結が成されたことで、該枢軸受保持部が該枢軸部位の円周方向へ枢軸動作が可能となり、該係止具開口部方向が常に爪先端縁形状の係止に最適な向きへ旋回可変することで自在に調整できることを特徴とする。【００１２】この構成によれば、係止具を爪縁へ装着する際、平面方向爪先端縁の形状を見ながら、軸動を用いて該係止具の装着角度を調整することで、弾性作用部材の機能を損なうことなく該部材を爪甲上の適宜位置に渡設できる。また該係止具の機能も、従来に比して安定した装着状態を得ることができる。また、該弾性作用部材と該係止具との連結作業は容易なため、装着専用の冶具が不要であったり、また作業の熟練が不要であったりすることから、作業時のコストおよびリスクが抑えられる。【００１３】前記の連結手段は、前記連結保持部を前記拡張挿入孔へ挿入する際、必ずしも下側から上側へ向かって挿着するとは限らず、該連結保持部を下方に向かって該拡張挿入孔へ挿入する手段を可能とするよう前記弾性作用部材を前記係止具の上側へ渡設されてもよい。また、係止具を爪縁へ装着される場合、指先端側爪郭の腫脹が悪化している場合など爪周囲の状況が該係止具の装着を困難にしている場合などにおいては、該係止具の装着位置を爪先端縁側とは限らず、両側爪縁部へ、爪先端方向から爪根方向へ挿嵌するように該係止具を左右夫々爪縁部へ配設してから爪甲上に渡設されるよう該弾性作用部材を枢軸連結されてもよい。また、枢軸受保持部は係止具上側脚部前方への設置とは限定されず、該上側脚部上面側または該上側脚部側面側に適宜選択されて形成されてもよい。【００１４】本発明の請求項２は、請求項１に係る枢軸連結部の構成において、前記連結保持部の形状が、径方向略円状の円柱形であって、該円柱側面の外周同一円周上の位置へ係止爪部を凸設され、また、前記係止具に備わる拡張挿入孔の内周面同一円周上の位置へ該係止爪部と係合可能に係合溝部位を凹設したことを特徴とする。【００１５】上記の連結部の構成により、該拡張挿入孔の上側面から該連結保持部の一部または全部が突出することなく、連結を可能とした。これにより、連結部の脱落防止を補強するために覆着したテープによる枢動の阻害や、また靴下など履物への掛傷なども軽減できるなど、外的阻害要素の軽減を提供する。【００１６】本発明の請求項３は、請求項１に係る枢軸連結部を構成する前記拡張挿入孔において、弾性開閉を有する開口状の案内拡開部を設けて嵌合可能とした略円弧状の該拡張挿入孔に成したことで、前記枢軸部位を装着用拡開口部より拡開挿入して該拡張挿入孔へ挿着可能となり、容易に着脱自在に弾性作用部材と前記係止具とが連結できることを特徴とする。【００１７】上記の連結部の構成により、変形爪の矯正治療においては、爪の湾曲形状の整形進行状況に応じた弾性作用部材の弾性応力の強度変更および修復後の再発防止用に治療目的が移行したときの耐撓曲応力が強化された該弾性作用部材への変更など、症状の変化に伴う夫々治療目的に合わせた該弾性作用部材の着脱変更を容易にしたこと、および、係止具を共通化し弾性作用部材を多品種化することで、製造コストの削減にも貢献する。【００１８】本発明の請求項４は、請求項１に係る枢軸連結部を構成する部位において、弾性作用部材は爪幅方向に略矩形平状に形成され、また該弾性作用部材爪幅方向の両側端部近傍には幅方向に略長方形状または略円形状の前記拡張挿入孔を夫々１つ以上備える前記枢軸受保持部が配設されて成されている。また、前記係止具の上側脚部先端側には垂直に上方または下方へ突き出し状の前記連結保持部を備えた枢軸部位を形成したことを特徴とする。【００１９】上記の連結部の構成によれば、弾性作用部材は突出部がない略矩形平板状に形成され、該弾性作用部材の長手方向両側端部近傍に夫々拡張挿入孔を備える枢軸受保持部が配設されて成している。これによって、樹脂射出成形においては金型の小型化や、金属プレス加工においてはＵ字状の曲げ加工が削減できることで曲げ加工用金型および加工工程が削減できるなど、該部材の製造コスト削減に貢献する。また、該弾性作用部材が薄平形状に成ることで保管スペースのコスト削減も提供する。また、係止具上側脚部の上面側に突出部がない滑面が提供できることで、見た目にもよく、また、係止具の着脱を防ぐために覆着したテープの効果を阻害することもない。また靴下など履物への掛傷なども軽減できる効果を提供する。【００２０】本発明の請求項５は、前記弾性作用部材において、内方または外向へ湾曲変形する爪および歪曲爪を略平状へ矯正できる弾性復元力を有していることを特徴とする。【００２１】材質の変更および短手幅形状ならびに厚さを部位により変えることで弾性復元力の強度が調整された該弾性作用部材と、該弾性作用部材の長手方向両側端部近傍に枢軸連結によって配設された係止具を用いて、爪甲上で架設するよう湾曲状変形爪の爪幅間両側爪先端縁または両側爪縁部の夫々の部位へ係止したことで、内方変形の巻き爪や陥入爪および外方変形の歪状爪や匙型爪および変則的な歪曲爪など夫々の該湾曲変形爪を略平状の爪形へ該弾性作用部材の弾性作用を活かした整形治療を可能とする。【００２２】本発明の請求項６は、前記弾性作用部材において、爪変形または爪割裂を発症させる外圧から、略平状の爪形を保護できる、耐撓曲能弾性が強化されていることを特徴とする。【００２３】前述の平状爪を変形または割裂させる外圧とは、履物による例えば爪先の細い履物や締め付けが強いストッキングおよび靴下などによる爪縁部圧迫、また環境では例えばスポーツ時の爪先立ちおよび蹴足時に発生する爪郭腫脹による爪縁部圧迫など、である。なお装着手段は、夫々の実施形態で表れているように該外圧を抑止し、且つ平状爪形を維持できる程度に耐撓曲能が強化された本発明の弾性作用部材の爪幅方向両側端部近傍に夫々枢軸連結されている係止具を、略平状爪の両側爪縁部近傍へ配設されたことで、該弾性作用部材は爪甲上に渡設され、該弾性作用部材の耐撓曲能を活かした爪変形防止を可能とする。【００２４】なお、本発明の多用途爪整形具の爪縁部への固定手段は、係止具の長期間の安定した固定を考慮して、例えば、補助的に係止具と爪との接触部を含む周辺へ接着剤や粘着剤や粘着テープ等を用いた固着手段を用いてもよい。
【発明の効果】
【００２５】請求項１の発明によれば、弾性作用部材１１と、係止具１２と、該弾性作用部材１１と該係止具１２とを連結する枢軸連結部とから構成されている。従来の弾性作用部材と係止具とが一体成形された矯正具においては爪先端縁の平面形状が略直線状にしか対応できなかった。しかし本発明の多用途爪整形具においては、枢軸連結部の連結構造により、該係止具１２が弾性作用部材１１の枢軸部位２２を中心に軸動旋回を可能としたことで、爪先端縁の平面形状が略半円弧状であっても該係止具１２が先端爪の形状に合わせて旋回することで、容易に爪先端部と該係止具１２の開口部とが適宜に対向が可能となり、安定した係止能を提供できる。これらの構成によって、爪先端縁に付設された該係止具１２が常に最適な掛着または挟着の能力を発揮でき、爪縁からの脱落を防げ、また、該弾性作用部材１１を常に爪甲上の適宜位置に架設できることで、該弾性作用部材１１の整形作用に用いられる弾性付勢を変形爪に対し常に安定した状態で提供することができる効果を奏する。【００２６】請求項２の発明によれば、前記請求項１の多用途爪整形具５０Ａの枢軸連結の構成の場合においては、前記弾性作用部材１１に設けられた連結保持部２１の先端が拡張挿入孔３１の天面より突出することで枢軸部位２２が該拡張挿入孔３１より脱落することなく枢軸連結による旋回効果を果たしているのに対して、本発明の枢軸連結の構成は、該連結保持部２１の天面を略平坦とした略円柱形とし、該円柱形の外周同一周上の位置へ係止爪部２３を凸設とし、また、該拡張挿入孔３１の内周面同一円周上の位置へ係合溝部位３２を凹設したことで、該拡張挿入孔３１へ該連結保持部２１が軸動嵌着可能となり、該拡張挿入孔３１の天面から該連結保持部２１が突出しないで連結ができることを得た。これにより、多用途爪整形具５０Ｂの上面に突出物がない滑面を得たことで、見た目にもよく、また、係止具の固定の補助に用いられるテープなど固定用補助具の密着性にも貢献する効果を奏する。【００２７】請求項３の発明によれば、前記係止具１２の枢軸受保持部３３を、弾性開閉を有する案内拡開部３４を備えた略円弧状の該拡張挿入孔３１を具備した枢軸受保持部３３としたことで、該係止具１２から該弾性作用部材１１の脱着が極めて容易となった。
これにより爪形の修復状況から鑑みられた適宜な弾性応力に設計された弾性作用部材への変更が該係止具１２脱着を行うことなく容易に行うことが可能となり、従来にみられる前述係止具の着脱時に起こる爪の損傷を防げる。また、該係止具１２を共通部品化し、弾性作用部材１１のサイズや弾性力に応じた設計品を多品種または多目的に製造できることで、製造コストの削減や在庫管理面などの簡易化にも効果を奏す。【００２８】請求項４の発明によれば、略矩形状に形成された前記弾性作用部材１１の長手方向両側端部近傍には拡張挿入孔３１を備えて成す前記枢軸受保持部３３を設け、また、前記係止具１２の上側脚部１４先端側には枢軸部位２２を垂直下方へ備え、該枢軸部位２２の先端部には連結保持部２１を設けて成している。この構成により、弾性作用部材１１に備わる拡張挿入孔３１へ、係止具１２に設けられた枢軸部位２２の先端に具備する連結保持部２１を挿設することで、旋動自在であって且つ着脱自在に枢軸連結されて成されている。
これにより、下方へ備わる枢軸部位２２を用いた場合、上側脚部上面には突出する軸受保持部３３がなく平滑状になり、該係止具１２の固定用にテープなど固定補助具を用いる際、該補助具の効果を損なわないで用いられる効果がある。また、爪甲上面と上側脚部１４とで成る間隙に該弾性作用部材１１が挟装され、且つ該係止具１２とは該弾性作用部１１は枢軸連結されることで該弾性作用部材１１の脱落を抑止する効果も奏する。
また、製造コストにおいても、弾性作用部材１１を平板で加工できることで、樹脂の射出成形または板金プレス加工においても、金型が小型化でき、特に該板金プレス加工においては抜き工程だけでも可能となるため、曲げ工程などが不要になるなど、製造コストの削減の効果を奏する。【００２９】請求項５の発明によれば、内方湾曲変形爪および外方湾曲変形爪の矯正治療において、弾性能を有する材の弾性復元力を用いる手段は既存の技術であるので、ここでは詳細な説明は述べない。
本発明の弾性作用部材１１は、爪郭方向湾曲変形爪を略平状へ矯正できる弾性復元力を有する材を用い、また幅形状や厚さを変えることで弾性復元力の強さが調整されて成す前記弾性作用部材１１と、爪先端縁幅方向両側略端部の夫々へ配設された前記係止具１２と、が枢軸連結されたことで、内方変形の巻き爪や陥入爪および外方変形の歪状または匙型など湾曲変形爪が矯正され、爪形が修復される効果を奏する。【００３０】請求項６の発明によれば、略平状の爪縁を変形させる外圧から保護できる耐撓曲能を有している弾性材によって成形された前記弾性作用部材１１を用いたことで、爪縁に掛かる外圧が抑制され、これにより、爪形が保持され、また爪変形および爪割裂が防止される効果も奏する。【００３１】なお従来の変形爪矯正具において、弾性作用部材１１に線状を用いた場合、確かに前後左右、自在に撓曲変形可能なので、変形爪の変形が強くても、また、爪先端平面形状の略半円弧状が強くても、係止具の係止方向は弾性作用部材１１の線状の撓曲能によって自在に湾曲可能で調整できる。例えば、爪先端へ掛止されている係止具において、湾曲状変形爪の両側爪縁部は下方へ撓曲変形していることで該線状の弾性作用部材の変形方向は係止具を引き上げる付勢方向で作用するため特に問題になることはない。しかし装着する爪先端縁の形状は、爪先端縁から左右両側爪縁に向かって後退した略半円弧状を成しており、線状を成す弾性作用部材を湾曲変形の上下方向だけでなく爪先端縁形状に沿う前後方向へも撓曲変形させて装着せざるを得ない。この装着状態から鑑みても、弾性応力が該係止具を脱落させる爪先端縁外方向へ付勢も働くため、不安定な係止状態を引き起こす問題が生じ、所要の矯正能力が得られない可能性もある。
一方、本発明の弾性作用部材１１は、枢軸連結によって係止具１２を旋動自在としたことで、弾性作用部材１１の弾性能の付勢を整形作用の上下方向応力だけに用いられるので、該係止具の係止能には影響を与えないため係止能を十分発揮させるに有効であることができる。このことからも枢軸連結は有効で、該弾性作用部材１１および該係止具１２等各々部位の所望の効果を安定して発揮することができる。また長期間の装着においても安定した係止状態が維持できることは、整形治療の効果の長期維持をも奏する。
【図面の簡単な説明】
【００３２】
【図１】図１、図２は請求項１の実施形態である多用途爪整形具５０Ａを説明する図であり、図１は多用途爪整形具５０Ａの全体の一例を示す（ａ）正面図、（ｂ）斜視図、（ｃ）は変形爪へ装着している様子の一例を示した平面図である。
【図２】請求項１の実施形態である多用途爪整形具５０Ａを構成する各部材の一例である（ａ）弾性作用部材１１を示した斜視図、（ｂ）係止具１２を示した斜視図である。
【図３】本発明請求項２の多用途爪整形具５０Ｂの実施形態を説明する（ａ）全体の一例を示す正面図と、（ｂ）弾性作用部材１１の連結保持部の一例を示した側面図と、（ｃ）係止具１２に具備する枢軸受保持部３３の形状の一例を示すＡ−Ａ´断面側面図である。
【図４】本発明請求項３の多用途爪整形具５０Ｃの枢軸連結を構成する実施形態を説明する（ａ）全体の一例を示す斜視図と、（ｂ）案内拡開部３４を備えた係止具１２の一例を示した正面図と、（ｃ）該係止具１２の平面図である。
【図５】本発明請求項４の多用途爪整形具５０Ｄの実施形態を説明する（ａ）正面図と、（ｂ）拡張挿入孔３１を備えた弾性作用部材１１の一例を示した斜視図と、（ｃ）連結保持部２１を備えた係止具１２の一例を示した側面図である。
【図６】請求項１の別の枢軸連結様態で成る多用途爪整形具５０Ｅの実施形態を説明する図であって、（ａ）略半円球形凸状の枢軸部位２２を備えた弾性作用部材１１の様態の一例を示した斜視図と、（ｂ）変形爪４０へ装着した該多用途爪整形具５０Ｅの様態の一例を示す斜視図である。
【発明を実施するための形態】
【００３３】以下、本発明を実施するための形態について適宜図面を参照しながら説明するが、本実施形態は以下の内容に限定されるものではなく、本発明の要旨を損なわない範囲で任意に変更して実施可能である。
【実施形態】
【００３４】
【実施例１】
【００３５】図２を用いて多用途爪整形具５０Ａを構成する各部材についての詳細を説明する。
はじめに図２（ａ）斜視図を用いて弾性作用部材１１の形態について説明する。【００３６】湾曲状変形した変形爪の整形治療の一例（図１（ｃ）参照）をもとに説明をすると、弾性作用部材１１は、変形爪４０の左右夫々の先端爪縁部に係止される係止部１２へ枢軸連結されることで該変形爪４０の爪甲上へ渡設される。これにより、変形爪の湾曲状に撓曲変形された弾性作用部材１１は弾性復元力により夫々係止された該係止部１２を上方向に引き上げる該復元力が働くことで、変形爪は略扁平状へ整形修復される能力を得る。【００３７】なお該弾性作用部材１１は、Ｎｉ−Ｔｉ系合金製の超弾性単線φ０．４ｍｍ、長さ１６ｍｍで成している。但し、患者のアレルギーや爪質から鑑みて、弾性作用を有する材であれば樹脂材や金属材から適宜選択できる。また、形状も単線細工状、より線細工状、矩形平板状、棒状、楕円状に限らず、爪変形および爪質に応じて適宜形状で形成されてもよい。【００３８】該弾性作用部材１１の両側端部に成る夫々枢軸部位２２は、該弾性作用部材１１の水平方向架設部位から１．２ｍｍの高さで垂直に形成され、また連結保持部２１はＰＰ製の直径１．０φ半円球状であって、該半円球状の略扁平状底面の略中心部と該枢軸部位２２の先端とが熱溶着によって固着される。該弾性作用部材１１はこれらの構成部位によって形成されている。（図２（ａ）参照）【００３９】係止具１２は、ＡＢＳ樹脂を用い、全高３．７ｍｍ、爪幅方向幅５ｍｍ、開口部高さ０．７ｍｍ、下側脚部１３厚さ１ｍｍ、該脚部１３奥行き４ｍｍ、上側脚部１４厚さ２ｍｍ、該脚部１４奥行き４ｍｍ、該脚部１４の先端で且つ爪幅方向略中央には、厚さ１ｍｍ、爪幅方向幅２ｍｍ、前方突き出し長３ｍｍの突き出し状の枢軸受保持部３３が形成され、該枢軸受保持部３３の平面部の略中央には０．８φの拡張挿入孔３１が成している。係止具の外観は爪先端縁へ括着または掛着できるコの字状であって、射出成形により形成される。なお、爪厚により開口部高さの変更はなされてもよい。（図２（ｂ）参照）【００４０】多用途爪整形具５０Ａはこれらの構成部位によって形成されている。
【実施例２】
【００４１】第２実施形態の多用途爪整形具５０Ｂを図３（ａ）〜図３（ｃ）を用いて説明する。【００４２】多用途爪整形具５０Ｂを構成する弾性作用部材１１と係止具１２とを接続する枢軸連結部の構造は、係止具１２に具備する枢軸受保持部３３（図３（ｃ）参照）へ弾性作用部材１１に設けられた枢軸部位２２（図３（ｂ）参照）が挿入され、該枢軸受保持部２２を軸に旋動自在に連結されている。なお、弾性作用部材１１および係止具１２の下記の連結部位を除いては第１実施形態と同様の材により成している。【００４３】第２実施形態の枢軸連結を構成する弾性作用部材１１に備わる連結保持部２１は、図３（ｂ）で表れているように、側面略中央部外円周上に突出状の係止爪部２３が凸設されたＰＰ製の略円柱形で成り、該連結保持部２１は枢軸部位２２の先端部に固着されて成る。
また、図３（ｃ）で表れているように、係止具１２の枢軸受保持部３３に設けられている拡張挿入孔３１の内周面径方向略中央部位には、該係止爪部２３と軸動嵌合可能な係合溝部位３２が形成される。
【実施例３】
【００４４】図４（ａ）〜（ｃ）は、第３実施形態の多用途爪整形具５０Ｃの弾性作用部材１１、および該弾性作用部材１１に具備する枢軸部位２２、および該枢軸部位２２を保持し旋動可能に連結する係止具１２に備わる枢軸受保持部３３、等の構成を示した図である。【００４５】図４を用いて多用途爪整形具５０Ｃの枢軸連結部の構成を説明する。
弾性作用部材１１と係止具１２とを連結する枢軸連結部の構造は、係止具１２に設けられた弾性開閉を有する案内拡開部３４を備えた略円弧状に模られた拡張挿入孔３１を備える枢軸受保持部３３へ、弾性作用部材１１に設けられた枢軸部位２２を挿着することで、着脱自在に枢軸連結されて成している。なお、係止具１２に設けられた前記枢軸受保持部３３を除いて弾性作用部材１１および係止具１２の形態は第１実施形態と同様に成されている。（図４（ｂ）、（ｃ）参照）【００４６】図４（ｂ）、（ｃ）で示された本発明の多用途爪整形具５０Ｃを構成する係止具１２の図を用いて、該係止具１２に設けられた枢軸受保持部３３を説明する。【００４７】第３実施形態の枢軸連結を構成する枢軸受保持部３３の形態は、上側脚部１４の先端で且つ爪幅方向略中央に突き出し状の枢軸受保持部３３が形成されている。該枢軸受保持部３３の正面側略中央には枢軸部位２２を弾性開閉により挿着を可能とする案内拡開部３４を備えた拡張挿入孔３１が形成されている。なお、該案内拡開部３４の拡開口は該拡張挿入孔３１に達し、且つ該拡張挿入孔３１高さで成している。【００４８】枢軸連結する際には、該案内拡開部３４に沿って枢軸部位２２を挿入することで、該枢軸部位２２は該案内拡開部３４が弾性拡開して拡張挿入孔３１へ格納されて枢軸連結される。このように該枢軸受保持部３３の形態により、係止具１２へ連結される弾性作用部材１１の着脱は容易となった。
【実施例４】
【００４９】図５（ａ）、（ｂ）、（ｃ）を用いて、本発明の第４実施形態の多用途爪整形具５０Ｄを構成する弾性作用部材１１と係止具１２の夫々連結部位を説明する。【００５０】多用途爪整形具５０Ｄを構成する弾性作用部材１１と係止具１２とを接続する枢軸連結部の構造は、弾性作用部材１１の両側端部近傍に配設された拡張挿入孔３１へ、係止具１２に設けられた枢軸部位２２の先端に具備する連結保持部２１を、該拡張挿入孔３１へ挿入し該枢軸部位２２を挿設することで、旋動自在であって且つ着脱自在に枢軸連結されて成されている。（図５（ａ）参照）【００５１】本発明の多用途爪整形具５０Ｄを構成する弾性作用部材１１の一例を図５（ｂ）斜視図を用いて説明する。該弾性作用部材１１の長手方向両側端部近傍の夫々には、係止具１２に具備する連結保持部２１を弾性拡開することで挿入可能な略円形状または略楕円形状で成り且つ該係止具１２に具備する枢軸部位２２を旋動自在に保持できる拡張挿入孔３１を備えた枢軸受保持部３３が配設されて形成されている。【００５２】なお該弾性作用部材１１は、アクリル樹脂性の幅３ｍｍ、長さ１６ｍｍ、厚さ１ｍｍの略矩形状平板で成している。該弾性作用部材１１の両側端部に成る夫々の拡張挿入孔３１は０．８φで穿孔されている。【００５３】図５（ｃ）は、本発明の多用途爪整形具５０Ｄを構成する係止具１２の別の一例を表す側面図であって、係止具１２を形成する上側脚部１４の先端側には、下方へ略垂直の角度で設けられた枢軸部位２２の先端部に突き出し状に半円球状の連結保持部２１を設けて形成されている。【００５４】係止具１２に成す上側脚部１４の先端で且つ爪幅方向略中央には、厚さ１ｍｍ、爪幅方向幅５ｍｍ、前方突き出し長５ｍｍの枢軸部位保持板が突き出し状で設けられており、該保持板の略中央には１．２ｍｍの高さで且つ略直立した角度で下方へ垂下状に突出した連結保持部２１は直径１．０φの半円球状であって、該半円球状の略扁平状底面の略中心部と該枢軸部位２２の先端とが一体成形されている。なお、係止具１２の形態は上側脚部先端突き出し状部位を除いては第１実施形態と同形成されている。
【実施例５】
【００５５】本発明請求項５の第５実施形態の弾性作用部材１１について説明する。該弾性作用部材１１は内方へまたは外方へ湾曲変形した爪縁部を略平状に付勢させる弾性能を有する、例えばＮｉ−Ｔｉ系合金製の超弾性材で成している。なお、該弾性材は、患者のアレルギーや爪質から鑑みて、金属や樹脂から適宜選択され使用されてもよい。なお、弾性作用部材１１および係止具１２の形態は第１、第２、第３、第４のいずれかに記載の実施形態と同形成されている。
【実施例６】
【００５６】本発明請求項６の第６実施形態の弾性作用部材１１について説明する。該弾性作用部材１１は、略平状の爪を変形させる方向へ加わる外圧を抑制できる耐撓曲能が強化された弾性能を有する、例えばＮｉ−Ｔｉ系合金製の超弾性材で成している。なお、該弾性材は、患者のアレルギーや爪質から鑑みて、金属や樹脂やエラストマーから適宜選択され使用されてもよい。なお、弾性作用部材１１および係止具１２の形態は第１、第２、第３、第４のいずれかに記載の実施形態と同形成されている。
【実施例７】
【００５７】図６（ａ）は本発明の第１実施形態の別の様態である第８実施形態の多用途爪整形具５０Ｅを形成する弾性作用部材１１の一例を表す斜視図であり、また図６（ｂ）は変形爪４０の爪先端縁へ該多用途爪整形具５０Ｅを装着した一例を表した斜視図である。なお、該多用途爪整形具５０Ｅは前記多用途爪整形具５０Ａと同様に弾性作用部材１１と係止具１２の構成で成っている。【００５８】上記構成を有した本実施形態と、実施例１の形態と異なる点は、弾性作用部材１１に設けられた枢軸部位２２が、接離可能な略半円球形凸状に連結保持部２１と一体形成されている点であり、該連結保持部２１が枢軸受保持部３３と緩嵌合して枢動保持され、且つ該枢軸保持部３３と爪甲面とにより該弾性作用部材１１が挟持されて本実施形態を成している点である。その他の構成については同様の符号を付して説明を省略する。また、該枢軸部位２２が枢軸受保持部３３へ枢設接合された際、枢軸部位２２先端が該枢軸受保持部上面から突出せず、旋動可能に連結されていることにある。この形態により、加工および組立て工程のコストの低減が図られ、また、弾性作用部材の着脱交換も容易と成る効果を奏する点も差異である。【００５９】図６（ａ）の斜視図を用いて、本発明の多用途爪整形具５０Ｅの弾性作用部材１１に設けられた枢軸部位２２の形状について説明する。略平板矩形状に形成された該弾性作用部材１１の長手方向両側端部近傍には、係止具１２に具備する枢軸受保持部３３（図２（ｂ）参照）に対向して成す略半円球形凸状に形成された枢軸部位２２が設けられている。なお、枢軸部位２２は本図に表れる形状に限らず、円錐形または略半円球状の突端部で成る円柱状または角柱状で設けられてもよい。また該係止具１２に具備する拡張挿入孔３１は、該拡張挿入孔３１の位置にまで滑動されてきた該枢軸部位２２を確実に規制し、且つ該枢軸部位２２を旋動自在に係合または嵌合が可能であれば、孔状に限らず凹状に成されてもよい。【００６０】図６（ｂ）で示された多用途爪整形具５０Ｅの爪装着時の一例を説明する。
弾性作用部材１１に設けられた枢軸部位２２を爪先端側左右爪縁に夫々係止された係止具１２に設けられた拡張挿入孔３１へ嵌合されたことで、爪甲面と枢軸受保持部３３とにより挟持され、該弾性作用部材１１と該係止具１２は枢動連結を成し、該弾性作用部材１１は爪甲上で架設された。このように該係止具１２と該枢動連結状態になされた該弾性作用部材１１の該枢軸部位２２は移動が規制され、且つ確実に脱落も防止もされた。これにより該多用途爪整形具５０Ｅは変形爪４０へ安定状態で装着される。【００６１】なお、本発明に係る多用途爪整形具は、第１実施例〜第８実施例を示したが、これらの実施例を単独で用いることはもちろんのこと、これらの実施例を適宜に組合わせることを妨げるものではない。
また、本発明に係る多用途爪整形具において、実施例で説明した変形爪の修復用および爪変形防止用として用いられる整形具であったが、これに限るものではなく、歪んだ爪形および略平状爪を美容目的や、ギターやハープなどの弦楽器を爪弾く際の理想的な爪形を造る目的とするなど、爪整形するための爪整形用具としても用いられてよい。
【産業上の利用可能性】
【００６２】本発明は、医療用器具および美容器具の産業界において利用できる。
【符号の説明】
【００６３】５０Ａ、５０Ｂ、５０Ｃ、５０Ｄ・・・多用途爪整形具
１１・・・弾性作用部材
１２・・・係止具
１３・・・下側脚部
１４・・・上側脚部
２１・・・連結保持部
２２・・・枢軸部位
２３・・・係止爪部
３１・・・拡張挿入孔
３２・・・係合溝部位
３３・・・枢軸受保持部
３４・・・案内拡開部
４０・・・変形爪
【図１】
2018011911.tif 000003
【図２】
2018011911.tif 000004
【図３】
2018011911.tif 000005
【図４】
2018011911.tif 000006
【図５】
2018011911.tif 000007
【図６】
2018011911.tif 000008